(57)【要約】【課題】本発明は、少なくともクラウン部を有するゴルフクラブヘッドにおいて、前記クラウンの中央部と周辺部では異なる塗装を施して、ゴルフクラブヘッドの見越し角度を調節することで、ゴルフクラブの長さを短く感じさせてフルスイングできる長尺クラブを提供することを目的とする。【解決手段】課題を解決する為の手段は、ゴルフクラブをアドレスしたときにゴルファーから見たウッド型ゴルフクラブヘッドの投影線から１５ｍｍ程度の範囲にあたるクラウン周辺部と、前記周辺部よりも内側のクラウン中央部に施す塗装を、同系色の場合は濃度やつや消しの度合いを変えることによって、ゴルフクラブヘッドの見越し角度を調整したゴルフクラブヘッドを装着したゴルフクラブである。【選択図】                図１
2004209021.tif 000002
【特許請求の範囲】
【請求項１】
少なくともクラウン部（２）を有するゴルフクラブヘッド（１）において、前記クラウン部（２）の中央部（５）と周辺部（６）で異なる着色を施したことを特徴とするゴルフクラブヘッド（１）。
【請求項２】
前記クラウン部の周辺部（６）には、膨張色を施したことを特徴とする請求項１のゴルフクラブヘッド（１）。
【請求項３】
前記クラウン部の周辺部（６）には、収縮色を施したことを特徴とする請求項１のゴルフクラブヘッド（１）。
【請求項４】
請求項１から請求項３のいずれかのゴルフクラブヘッドを装着したことを特徴とするゴルフクラブ。
【発明の詳細な説明】
【０００１】
【発明の属する技術分野】
本発明は、ゴルフクラブに装着されるゴルフクラブヘッドのクラウン部着色に関し、更に詳しくは、アドレス時のゴルフクラブヘッドの見越し角度を膨張色や収縮色により錯覚させることにより、ゴルファーのスイングに対する心理的不安を取り除くことができるウッド型ゴルフクラブに関する。
【０００２】
【従来の技術】
ゴルフクラブに要求される最も重要な特性としては飛距離がある。飛距離を確保するためにはヘッドスピードを速くすることが有効であり、そのため従来は４３インチであったドライバーのクラブサイズは、現在では４５インチが主流となり、最大では５０インチというものもある。
【０００３】
【発明が解決しようとする課題】
ところが一般的なゴルファーは、クラブサイズが４５インチ程度でヘッドスピードの増加が少なくなり、４７インチを越えるとほとんどヘッドスピードの増加はなくなる。これは、クラブサイズが長くなるに従い、ゴルフクラブヘッドの見越し角が小さくなり、打点のばらつきを気にするあまりフルスイングができないためである。
【０００４】
一方で、上級者ゴルファーにおいてもクラブサイズが４８インチを越えるとヘッドスピードの増加率は減少する。これは、見越し角度が小さくなることで、実際よりもゴルフクラブヘッドが小さく見えるため、ヘッドの返りが速く、ひっかけと呼ばれる飛球方向が目標よりも大きく左にそれるミスを意識するので、フルスイングすることができないためである。
【０００５】
このため、実際にゴルフクラブヘッドの見越し角度が大きくなるように、クラウン部の投影面積を大きくすることが考えられる。ところが、ゴルフクラブヘッドの質量は、シャフトとグリップの質量、クラブサイズが決まれば概ね決まり、際限なく重くすることはできない。
【０００６】
すなわち、クラウン部の投影面積を大きくすると、ヘッドの厚みの薄いシャロータイプのヘッドになるので、打点が上下方向にずれると飛距離のばらつきが大きくなる。クラブサイズが長くなると、打点のばらつきは大きくなるから、このようなゴルフクラブは飛距離の安定しない使いにくいクラブとなってしまう。
【０００７】
本発明は上記問題に鑑みてなされたものであり、ゴルフクラブヘッドの見越し角度を、着色による錯覚を利用して調整し、ヘッドの大きさを変えることなくゴルファーの心理的な不安要素を取り除くことにある。
【０００８】
【課題を解決するための手段】
本発明のゴルフクラブヘッドは、少なくともクラウン部を有するゴルフクラブヘッドにおいて、前記クラウンの中央部と周辺部では異なる着色を施したことを特徴とするウッド型ゴルフクラブヘッドを装着したゴルフクラブである。
【０００９】
さらにくわしくいえば、同系色の色であっても、クラウン中央部とクラウン周辺部で色の濃度やつや消しの度合いを変えることによって、ゴルフクラブヘッドの見越し角度を調整したゴルフクラブヘッドを装着したゴルフクラブである。ここで、クラウン周辺部とは、ゴルフクラブをアドレスしたときにゴルファーから見たウッド型ゴルフクラブヘッドの投影線から１５ｍｍ程度の範囲をいい、クラウン中央部とは、前記周辺部の内側の部分をいう。
【００１０】
【発明の実施の形態】
【００１１】
本発明の請求項１に係わる実施の形態は、少なくともクラウン部２を有するゴルフクラブヘッド１において、前記クラウン部２の中央部５と周辺部６で異なる着色を施したことを特徴とするゴルフクラブヘッド１である。
【００１２】
例えば４４インチのクラブサイズのゴルフクラブを身長１７０ｃｍのゴルファーがアドレスしたときの典型的な見越し角度を計算してみる。ゴルフクラブのグリップ端の地上からの高さが８０ｃｍ、ゴルファーの視線の高さが１６０ｃｍ程度とすれば、ゴルフクラブヘッドのヒール側の仰角は２５．９９度となる。一方、ヘッド体積３００ｃｃ程度のゴルフクラブヘッドのヘッド長さは１２ｃｍ程度であるから、ゴルフクラブヘッドのトウ側の仰角は２９．３６度となる。
【００１３】
従って、現在の最も一般的なウッド型ゴルフクラブのドライバーの見越し角度は、３．３７度であり、ほぼ３．４度ということになる。同様に計算すると、クラブサイズが１インチ長くなると、見越し角度が０．１度小さくなることになる。
【００１４】
この見越し角度の減少分を、クラウン部２の中央部５と周辺部６で異なる着色を施すことで補えば、同じゴルフクラブヘッドを装着してクラブサイズの長くなったゴルフクラブであっても、クラブサイズが長くなっていないように思わせることができるのである。
【００１５】
ここで述べた例のように、見越し角度を大きく見せたいのであれば、クラウン全体に膨張色を配色すればよい。また、クラウン周辺部６よりもクラウン中央部５の光沢を少なくすることで、膨張色の効果を強くすることができる。クラウン全体に収縮色を配置する必要があるときは、クラウン中央部５よりもクラウン周辺部６の光沢を少なくすることで同様の効果を得ることができる。光沢は、つや消し塗料の配合量を変えることで調整する。
【００１６】
【実施例】
以下、本発明の実施例を図を用いて説明する。図１は、クラウン部２に収縮色であるコバルトブルーの塗装を施し、クラウン周辺部６にはクラウン中央部５に比べて着色濃度を薄くすることで、ゴルフクラブヘッド１の見越し角度を実際よりも大きく見せることができた。
【００１７】
同様に、クラウン部２に収縮色であるコバルトブルーの塗装を施し、クラウン周辺部６にはクラウン中央部５に比べてつや消しの度合いを小さくすることで、ゴルフクラブヘッド１の見越し角度を実際よりも大きく見せることができた。本実施例では、クラウン周辺部６には３分つや消し塗装を、クラウン中央部５には７分つや消し塗装を施した。
【００１８】
また、クラウン中央部５とクラウン周辺部６で、別の色を施すことも可能である。すなわち、ゴルフクラブヘッド１の見越し角度を実際よりも大きく見せるのであれば、少なくともクラウン周辺部６に膨張色が施されていればよく、クラウン部２の全体に同系色の着色を施す必要はない。
【００１９】
例えば、クラウン中央部５に収縮色であるコバルトブルーの塗装を、クラウン周辺部６に膨張色であるオレンジ塗装を施すことにより、クラウン周辺部６の膨張色の効果を強調することができ、一層ゴルフクラブヘッド１の見越し角度を大きく見せることができる。
【００２０】
また、上級者ゴルファーにおいては、ゴルフクラブヘッドが大きいと、ゴルフクラブヘッドの重心とシャフト軸線までの距離が大きくなりすぎて、ヘッドの返りが悪くなり、目標に対してボールが右へ飛び出す、所謂プッシュアウトと呼ばれるミスショットを誘発すると考える者もいる。
【００２１】
このため、クラウン周辺部６にラウンドをつけて実際の見越し角度を小さくする工夫を施したゴルフクラブヘッドも存在するが、このような設計にすると、見越し角度が小さくなるものの、ゴルフクラブヘッド１の慣性モーメントも小さくなるので、打点がトウ、ヒール方向にばらつくと、飛距離のばらつきが大きくなり、上級者の要求を満たすことができない。
【００２２】
この場合は、今まで述べてきた方法とは逆に、ゴルフクラブヘッドの周辺部に収縮色を塗装して、ゴルフクラブヘッド１の見越し角度を小さく見せるようにすると良い。
【００２３】
【発明の効果】
本発明は、以上説明したような形態で実施されるので、クラブサイズが長くなっても、ゴルフクラブヘッドが小さく見えないので、打点のばらつきやヘッドの返りすぎによるミスショットを気にすることもなく、フルスイングができるものである。また、各々のゴルファーの好みに合わせて、同じゴルフクラブヘッドを使用して見越し角度を調整することができるので、製造者にとっても部品点数を減らすことができるという効果を有するものである。
【図面の簡単な説明】
【図１】
本発明の実施例
【符号の説明】
１  ゴルフクラブヘッド、２  クラウン部、３  フェース、４  境界マーク、５  クラウン中央部、６  クラウン周辺部
【図１】
2004209021.tif 000003